(57)【要約】      （修正有）【課題】筒状部の空回り防止と、手首等の身体の所定の箇所に対して良好な締め付け力が得られる円筒状の締め付け具を提供する。【解決手段】帯状巻き回し部３の基端側であって筒状部２の表面２ａに位置決め用面ファスナ４が取り付けられ、この位置決め用面ファスナ４を有する部分を手や足等の身体の所定箇所よりも一回り大きな余裕の部分を利用して折り返した折り返し部を設けて筒状部２の表面２ａに掛止させた後、上記帯状巻き回し部３を筒状部２の外周に巻き回す。【選択図】図２
0003151008.tif 000002
【実用新案登録請求の範囲】
【請求項１】
手や足や頭部等の身体の所定箇所に通され身体の所定箇所よりも一回り大きな筒状部を備え、
筒状部の表面に位置決め用面ファスナが設けられ、この位置決め用面ファスナを有する部分を上記所定箇所よりも一回り大きな筒状部の余裕の部分を利用して折り返す折り返し部を設けて筒状部の表面に掛止させることを特徴とする円筒状の締め付け具。
【請求項２】
手や足や頭部等の身体の所定箇所に通され身体の所定箇所よりも一回り大きな筒状部と、筒状部の所定箇所に取り付けられ筒状部の外周に巻き回される帯状巻き回し部とを備え、
前記帯状巻き回し部の基端側であって筒状部の表面に位置決め用面ファスナが取り付けられ、この位置決め用面ファスナを有する部分を上記所定箇所よりも一回り大きな余裕の部分を利用して折り返した折り返し部を設けて筒状部の表面に掛止させた後、上記帯状巻き回し部を筒状部の外周に巻き回すことを特徴とする請求項１記載の円筒状の締め付け具。
【請求項３】
前記筒状部の表面は、前記位置決め用面ファスナが掛止される面ファスナで構成されていることを特徴とする請求項１又は２記載の円筒状の締め付け具。
【請求項４】
前記前記帯状巻き回し部の裏面の筒状部の表面と接触する側は、筒状部の表面と掛止される面ファスナで構成されていることを特徴とする請求項３記載の円筒状の締め付け具。
【考案の詳細な説明】
【技術分野】
【０００１】
本考案は、テニスや野球等のスポーツをするときや、医療用やファッション感覚で手首や頭部等に装着されて使用される円筒状の締め付け具に関する。
【背景技術】
【０００２】
テニス等のスポーツをするときには、リストバンドやバンダナ（ヘッドバンド）が手首や額部分に装着され、汗を吸収して、手のひらや目に汗が入り込むことを防止している。このような目的の円筒状の締め付け具は、タオル生地のものが多く使用されている。リストバンドやバンダナは、スポーツ以外でもファッションとしても使用され、この場合にはタオル生地に限らず種々の素材のものがある。
他方、スポーツや治療等においては、関節などに装着するサポータが用いられている。例えば、特許文献１には、伸縮性及び発汗性に優れた膝関節用サポータが開示されている。このサポータは、伸縮性や発汗性に優れた部材から成る本体に、膝にかかる衝撃を緩和する衝撃緩和材が内蔵された膝当て片が縫合により取り付けられている。また、筒状部の外周に巻き回される帯状巻き回し部を備えたものとしては、特許文献２がある。また、特許文献３には、膝を保温するとともに外部からの衝撃を和らげる膝用サポータが開示されている。このサポータは、パイル織りした生地を表側とし、汗等を吸収しやすいタオル地を裏側とし、重ね合わせて一体として本体が形成されている。
【０００３】
ところで、上記リストバンドとしては、円筒部の所定箇所に外周に巻き回される帯状巻き回し部とを備えたリストバンドがある。これは、単なる筒状の円筒状の締め付け具では、その伸縮性により手首等に装着させるが、一つの円筒状の締め付け具で任意の締め付け力を得られる利点がある。例えば、野球選手が使用する場合、バッティングの際は強い締め付け力が要求されるので、強く締め付けるが、それ以外では締め付け力は弱くするような場合に使用される。
【先行技術文献】
【特許文献】
【０００４】
【特許文献１】特開２００７−２３９１５８号公報
【特許文献２】特開２００６−３３６１８２号公報
【特許文献３】特開平９−２８７２４号公報
【考案の概要】
【考案が解決しようとする課題】
【０００５】
しかしながら、上記身体の所定箇所より一回り大きな円筒状の締め付け具では、手首等の身体の所定箇所の大きさにぴったりの大きさにすることが難しくなる問題を有していた。これを筒状部の外周に帯状巻き回し部を有するもので説明すると、片方の手首（左手の手首）に筒状部を通した状態で、他方の手（右手）で帯状巻き回し部を持って、筒状部の外周に帯状巻き回し部を巻き回わそうとすると、筒状部の仮止めが行なわれていないので、筒状部が空回りしてしまう事態や、これにともない手首等の身体の所定箇所の大きさとぴったりの大きさにすることが難しくなる問題を有していた。
なお、円筒状の締め付け具を使用しないときは、筒状部から帯状巻き回し部が伸びきった状態になることがあり、例えば展示販売等の場合に型崩れ（形が不揃いで見栄えが悪い状態）が生じる問題も有していた。
【０００６】
そこで、本考案の目的は、筒状部の空回り防止と、手首等の身体の所定の箇所に対して良好な締め付け力が得られる円筒状の締め付け具を提供することにある。
【課題を解決するための手段】
【０００７】
本考案の請求項１記載の円筒状の締め付け具は、手や足や頭部等の身体の所定箇所に通され身体の所定箇所よりも一回り大きな筒状部を備え、筒状部の表面に位置決め用面ファスナが設けられ、この位置決め用面ファスナを有する部分を上記所定箇所よりも一回り大きな筒状部の余裕の部分を利用して折り返す折り返し部を設けて筒状部の表面に掛止させることを特徴とする。
この考案によれば、例えば手首に筒状部を通して、一回り大きな余裕の部分に取り付けられた位置決め用面ファスナを筒状部の外側表面の面ファスナに掛止させると、手や足等の大きさと筒状部との大きさの不一致が解消され、筒状部の内周径が手や足等の大きさに合わせられる。
【０００８】
本考案の請求項２記載の円筒状の締め付け具は、手や足や頭部等の身体の所定箇所に通され身体の所定箇所よりも一回り大きな筒状部と、筒状部の所定箇所に取り付けられ筒状部の外周に巻き回される帯状巻き回し部とを備え、前記帯状巻き回し部の基端側であって筒状部の表面に位置決め用面ファスナが取り付けられ、この位置決め用面ファスナを有する部分を上記所定箇所よりも一回り大きな余裕の部分を利用して折り返した折り返し部を設けて筒状部の表面に掛止させた後、上記帯状巻き回し部を筒状部の外周に巻き回すことを特徴とする。
この考案によれば、例えば手首に筒状部を通して、位置決め用面ファスナを折り返して筒状部の表面に掛止させると、筒状部の内周径が手や足等の大きさに合わせられる。この位置決め状態（仮固定状態）で、上記帯状巻き回し部を筒状部の外周に巻き回すと、筒状部を空回りさせることなく、手や足等にしっかりと上記帯状巻き回し部を巻き付けることができる。
ここで、前記筒状部の表面は、前記位置決め用面ファスナが掛止される面ファスナで構成されていることにより、位置決め用面ファスナとの掛止が確実なものとなり、また、前記帯状巻き回し部の裏面の筒状部の表面と接触する側は、筒状部の表面と掛止される面ファスナで構成されていることにより、掛止が確実になるとともに、前記帯状巻き回し部による締め付け力を強くすることができる。
【考案の効果】
【０００９】
本考案の円筒状の締め付け具によれば、筒状部の表面に位置決め用面ファスナが設けられ、この位置決め用面ファスナを折り返して筒状部の表面に掛止させることにより、一回り大きな筒状部を手首等の身体の所定箇所の大きさに合わせたぴったりの大きさにすることができる。
【００１０】
また、筒状部の外周に帯状巻き回し部を有するタイプでは、筒状部を片方の手や足等に通した状態で、他方の手で帯状巻き回し部を巻き回す前に、位置決め用面ファスナを折り返して筒状部の表面に掛止させることにより、手や足等の大きさに合わせたぴったりの大きさに仮固定した状態で外周に巻き回すことができるので、筒状部が空回りしてしまう事態を防止できる。
なお、例えば展示販売等の場合に、従来は帯状巻き回し部が伸びきった状態になることがあったが、位置決め用面ファスナを筒状部の表面に掛止させることで、上記のような型崩れが防止でき、収納容器に入れる場合でも綺麗な折り畳み状態にして収納や展示をすることが可能になる。
【図面の簡単な説明】
【００１１】
【図１】本考案の第１の実施の形態の円筒状の締め付け具の使用例を示す斜視図である。
【図２】上記第１の実施の形態の使用例を説明する斜視図である。
【図３】上記第１の実施の形態を示す斜視図である。
【図４】上記第１の実施の形態の取り付け工程を説明する平面図である。
【図５】上記第１の実施の形態の取り付け工程を説明する平面図である。
【図６】上記第１の実施の形態の位置決め用面ファスナの例を示す斜視図である。
【図７】上記第１の実施の形態の他の例を示す図であり、（ａ）は側面図であり、（ｂ）は斜視図である。
【図８】本考案の第２の実施の形態の円筒状の締め付け具の使用例を示す斜視図である。
【図９】上記第２の実施の形態の形状を説明する斜視図である。
【考案を実施するための最良の形態】
【００１２】
以下、本考案を適用した具体的な実施の形態について図面を参照しながら詳細に説明する。
【００１３】
（第１の実施の形態）
本実施の形態の円筒状の締め付け具１は、筒状部２と帯状巻き回し部３とからなり、いずれも面ファスナで構成されている。すなわち、筒状部２と帯状巻き回し部３の表面は、面ファスナのループが並んだループ面（メス部）３ａとして構成され、裏面３ｂは、面ファスナ機能のない単なる裏生地になっている。筒状部２は、手首よりも一回り大きな円筒状である。なお、スポーツ用のリストバンドとするときは、筒状部２の裏面２ｂをタオル生地やパイル生地にして、上記面ファスナと重ね合わせて構成しても良い。なお、面ファスナとしては、ループ面（メス部）とフック面（オス部）とが混在したような面ファスナを使用すると、同じ面ファスナで対向する面ファスナと掛止（止着）させることができる。
【００１４】
筒状部２の表面の所定箇所には、位置決め用面ファスナ４が付けられている。位置決め用面ファスナ４は、筒状部２の表面であって帯状巻き回し部３の基端側に縫合されるもので、面ファスナのカギ状フックが並んだフック面（オス部）として機能し、位置決め用面ファスナ４の周囲のループ面（メス部）で構成される筒状部２の表面２ａと止着する。このオス部４は、筒状部２の表面の幅方向に亘って幅方向の全域に及ぶように縫合されているが、図６（ａ）に示すように、筒状部２の表面の幅方向の中央に一つ取り付けられるものでも、図６（ｂ）に示すように、筒状部２の表面の幅方向に複数取り付けられるものでも良い。また、帯状巻き回し部３の先端側の裏面３ｆも、面ファスナのカギ状フックが並んだフック面（オス部）として機能する。
【００１５】
したがって、片方の手首Ｔ１にリストバンドとしての円筒状の締め付け具１を取り付ける場合は、筒状部２を片方の手首Ｔ１の取り付ける位置まで通し（図２）、位置決め用面ファスナ４を有する部分を他方の手Ｔ２で摘み上げるようにして折り返した折り返し部２ｄを設けて、筒状部２の表面に掛止させる。つまり、筒状部２は、片方の手首Ｔ１よりも一回り大きな余裕の部分があるので通しやすいものであるが、この余裕ある部分を他方の手Ｔ２で摘み上げて折り返した折り返し部２ｄを設けて、位置決め用面ファスナ４をその隣接する筒状部２の表面２ａに止着する（仮固定する）。他方の手Ｔ２の人差し指を位置決め用面ファスナに沿わせるようにして、折り返し部２ｄを設けることも行ない易い作業である。これにより、筒状部２の内周径が片方の手首Ｔ１の大きさに合わせられ、一回り大きな余裕部分２ｙがなくなる（図１）。ここで、強い締め付け力を得たい場合は、上記折り返しの幅２ｄを大きくすれば良く、上記仮固定よりも弱い締め付け力を得る場合は、上記折り返しの幅２ｄを少なくすれば良い。
このような位置決め状態で、帯状巻き回し部３を筒状部２の外周に巻き回すと、筒状部２を空回りさせることなく、他方の手Ｔ２のみで、しっかりと上記帯状巻き回し部３を巻き付けることができる（図１）。
【００１６】
ここで、強い締め付け力を得たいがために、上記位置決めを行なわずに、帯状巻き回し部３だけで強く締め付けても、上記のような大きさを合わせる調整が行なわれていないので、正確な位置決めによる強力な締め付けが得られない。また、位置決め用面ファスナ４は、帯状巻き回し部３の裏面３ｂとは、止着しないようになっている。これは、上記仮固定の前に位置決め用面ファスナ４と帯状巻き回し部３とが止着すると、他方の手Ｔ２のみでの止着等の作業が行ない難くなる場合があるからである。
なお、位置決め用面ファスナ４が筒状部２の表面であって帯状巻き回し部３の基端側に縫合されるので、展示や容器への収納等の際に、帯状巻き回し部３が間延びしたような状態になることを防止することもできる。
【００１７】
本実施の形態では、帯状巻き回し部３を有するリストバンド１で説明したが、帯状巻き回し部３を有しない筒状部２のみからなる円筒状の締め付け具１１でも本発明は適用可能である。すなわち、図７（ａ）（ｂ）に示すように、手首よりも一回り大きな円筒状の締め付け具１１において、筒状部２の表面２ａに位置決め用面ファスナ４４が設けられているものでも良い。この位置決め用面ファスナ４を有する部分を上記一回り大きな余裕の部分を利用して折り返して、筒状部２の表面２ａと掛止させることにより、手首の大きさとぴったりの大きさにすることができる。
【００１８】
（第２の実施の形態）
本実施の形態の円筒状の締め付け具２１は、図８と図９に示すように、足Ｓのサポータとして適用されるもので、筒状部２２と帯状巻き回し部２３と備え、いずれも面ファスナで構成されている。筒状部２２は、その内周２２ａが下方側ｄ１よりも上方側ｄ２の方が大きくなるように形成され（ｄ１＜ｄ２）、帯状巻き回し部２３は、下方側２３ｚよりも上方側２３ｘの方が大きくなるように形成されている（２３ｚ＜２３ｘ）。なお、上記筒状部２２の内周や帯状巻き回し部２３の長さは、伸縮性を有する素材を使用して、第１の実施の形態と同様に同じ内周や同じ長さでも良いが、ここでは足の脹脛という形状の特殊性から上記大きさに変更を加えている。
そして、位置決め用面ファスナ４が筒状部２２の表面２２ａの幅方向に亘って幅方向の全域に及ぶように縫合されている。位置決め用面ファスナ４は、サポータ２１の筒状部２２の長手方向に沿うように一つ設けられているが、複数が間隔をおいて設けられているものでも良く、又、筒状部２２の上方側と下方側とで、位置決め用面ファスナ４の幅が異なる、例えば、上方側の幅４ｄ１が下方側の幅４ｄ２よりも広く設けるようにしても良い。
ここで、帯状巻き回し部２３の裏面２３ｂは、面ファスナとされ、位置決め用面ファスナ４とも筒状部２２の表面２２ａとも止着するようになっており、これによりサポータとしての強い締め付け力が得られるようになっている。その他の構成は、第１の実施の形態と同様である。なお、膝や肘の部分に使用するときは、筒状部２２と帯状巻き回し部２３の所定箇所に穴を形成して、膝や肘の部分が露出するようにしても良い。
【００１９】
したがって、足（脹脛）Ｓにサポータとしての円筒状の締め付け具２１を取り付ける場合は、筒状部２２を脹脛Ｓの取り付ける位置まで通して、この位置決め用面ファスナ４を有する部分を手で摘み上げるようにして折り返して折り返し部を設けて筒状部２の表面に掛止させ、一回り大きな余裕部分２２ｙをなくす。なお、医療用としてのサポータでは、この状態で看護師等は患者に締め付け状態の良好の有無を確認しても良い。
このような位置決め状態（締め付け状態）が得られるので、片手だけでも、筒状部２２を空回りさせることなく、足Ｓにしっかりと帯状巻き回し部２３を巻き付けることができる。
【００２０】
以上、本実施の形態では、リストバンドを例に説明したが、本発明としては、足首やヘッドバンド（バンダナ）や胴回りに装着される円筒状の締め付け具（サポータ）としても適用可能である。
【符号の説明】
【００２１】
１，１１，２１  円筒状の締め付け具
２，２２    筒状部
２ａ，２２ａ  筒状部の表面
２ｂ，２２ｂ  筒状部の裏面
２ｄ  折り返し部
２ｙ，２２ｙ  一回り大きな余裕部分
３，２３    帯状巻き回し部
３ａ  帯状巻き回し部の表面
３ｂ  帯状巻き回し部の裏面
３ｆ  帯状巻き回し部の先端部（面ファスナ）
４    位置決め用面ファスナ
【図１】
0003151008.tif 000003
【図２】
0003151008.tif 000004
【図３】
0003151008.tif 000005
【図４】
0003151008.tif 000006
【図５】
0003151008.tif 000007
【図６】
0003151008.tif 000008
【図７】
0003151008.tif 000009
【図８】
0003151008.tif 000010
【図９】
0003151008.tif 000011